(57)【要約】【課題】  複数の番組を同時に記録しながら、これらの複数の番組から番組を自由に選択して再生する。【解決手段】  映像記録再生装置として、同時に受信された複数の番組を記録媒体に記録する番組記録部と、前記記録媒体に記録された複数の番組のうちの少なくとも１つを再生して出力する番組再生部と、番組の選択が変更された場合に、選択されなくなった番組における、再生が中断された位置を格納する再生中断位置保存部と、番組の選択が変更された場合に、選択が再開される番組についての前記再生が中断された位置を再生中断位置保存部から読み出し、その番組の再生開始位置として決定する再生開始位置決定手段とを備えており、再生すべき番組の選択を行い、選択された番組を前記再生開始位置から再生するように構成されている。【選択図】      図１
2005303920.tif 000002
【特許請求の範囲】
【請求項１】
同時に受信された複数の番組を記録媒体に記録する番組記録部と、
前記記録媒体に記録された複数の番組のうちの少なくとも１つを再生して出力する番組再生部と、
番組の選択が変更された場合に、選択されなくなった番組における、再生が中断された位置を格納する再生中断位置保存部と、
番組の選択が変更された場合に、選択が再開される番組についての前記再生が中断された位置を再生中断位置保存部から読み出し、その番組の再生開始位置として決定する再生開始位置決定手段とを備え、
再生すべき番組の選択を行い、選択された番組を前記再生開始位置から再生するように構成された
映像記録再生装置。
【請求項２】
請求項１に記載の映像記録再生装置において、
前記番組再生部が、再生すべき番組を選択する
ことを特徴とする映像記録再生装置。
【請求項３】
請求項１に記載の映像記録再生装置において、
複数の番組から少なくとも１つの番組を、再生すべき番組として選択して出力する選択部を更に備え、
前記番組再生部は、
複数の番組を再生して前記選択部に出力するものである
ことを特徴とする映像記録再生装置。
【請求項４】
請求項１に記載の映像記録再生装置において、
前記同時に受信された複数の番組を格納し、１つのビットストリームとして出力する受信番組記憶部と、
前記番組再生部から出力された複数の番組のビットストリームを格納し、各番組のビットストリームに分離して出力する再生番組記憶部とを更に備え、
前記番組記録部は、
前記受信番組記憶部から出力されるビットストリームを記録媒体に記録するものである
ことを特徴とする映像記録再生装置。
【請求項５】
請求項４に記載の映像記録再生装置において、
前記同時に受信された複数の番組のそれぞれをエンコードして前記受信番組記憶部に出力する複数のエンコーダと、
前記再生番組記憶部から出力されるビットストリームのそれぞれをデコードして出力する複数のデコーダとを更に備える
ことを特徴とする映像記録再生装置。
【請求項６】
請求項１に記載の映像記録再生装置において、
番組が指定されると、その番組を、再生すべき番組として選択する
ことを特徴とする映像記録再生装置。
【請求項７】
請求項１に記載の映像記録再生装置において、
番組を再生する順番を格納する再生順保存部を更に備え、
前記再生順保存部に格納された順番に従って、再生すべき番組の選択を行う
ことを特徴とする映像記録再生装置。
【請求項８】
請求項１に記載の映像記録再生装置において、
選択された番組を、その番組に対して指定された再生速度で再生する
ことを特徴とする映像記録再生装置。
【請求項９】
請求項１に記載の映像記録再生装置において、
選択された複数の番組の映像が同時に表示されるようにする映像信号を生成して出力する映像処理回路を更に備える
ことを特徴とする映像記録再生装置。
【請求項１０】
請求項９に記載の映像記録再生装置において、
前記同時に表示される複数の番組のうち、一部の番組については動画が表示され、他の番組については静止画が表示される
ことを特徴とする映像記録再生装置。
【請求項１１】
請求項１に記載の映像記録再生装置において、
指定された切り替え時間毎に、再生すべき番組の選択を行う
ことを特徴とする映像記録再生装置。
【請求項１２】
請求項１に記載の映像記録再生装置において、
再生された信号に基づいて、番組の切り替えをすべきタイミングを検出して出力するトリガー検出部を更に備え、
前記トリガー検出部の出力に応じて、再生すべき番組の選択を変更する
ことを特徴とする映像記録再生装置。
【請求項１３】
請求項１２に記載の映像記録再生装置において、
前記トリガー検出部は、
番組が宣伝に切り替わるときを、前記タイミングとして検出するものである
ことを特徴とする映像記録再生装置。
【請求項１４】
請求項１２に記載の映像記録再生装置において、
前記トリガー検出部は、
再生された音声のモードがステレオからモノラルに、又はモノラルからステレオに切り替わるときを、前記タイミングとして検出するものである
ことを特徴とする映像記録再生装置。
【請求項１５】
請求項１に記載の映像記録再生装置において、
前記複数の番組の映像のいずれかに含まれるテロップの内容が切り替わるタイミングを検出するテロップ切り替え検出部と、
前記テロップ切り替え検出部が検出するタイミングに同期して、選択されている番組に前記複数の番組のテロップが重ね合わせて表示されるように、前記複数の番組のテロップをこの番組の映像信号に加えて出力するテロップ表示部と、
前記複数の番組のテロップのうちのいずれが選択されたかを記憶するテロップ選択部とを備え、
選択されたテロップに対応する番組を、再生すべき番組として選択する
ことを特徴とする映像記録再生装置。
【請求項１６】
請求項１に記載の映像記録再生装置において、
再生された番組の映像信号を生成して出力する映像処理回路と、
前記番組再生部によって複数の番組が再生される場合に、再生される複数の番組の中で、実時間との時間差が最も小さい番組の再生に、他の番組の再生が追い付いたことを検出する追い付き時刻検出部とを更に備え、
前記番組再生部は、
拡大表示するように選択された番組を再生し、その後、前記拡大表示するように選択された番組の再生に加えて、拡大表示するように選択されなかった番組を通常の速度よりも速い速度で再生することを開始し、かつ、前記追い付き時刻検出部が追い付きを検出すると、追い付いた番組を通常の速度で再生するものであり、
前記映像処理回路は、
前記拡大表示するように選択されなかった番組の再生が開始される前には、前記拡大表示するように選択された番組の映像を拡大して表示する映像信号を生成し、その後、前記拡大表示するように選択された番組の映像と、前記拡大表示するように選択されなかった番組の映像とが同時に表示されるようにする映像信号を生成するものである
ことを特徴とする映像記録再生装置。
【請求項１７】
請求項１に記載の映像記録再生装置において、
再生された番組に付与された文字データが切り替わるタイミングを検出して出力する文字データ切り替え検出部と、
選択された文字データを格納する文字データ保存部と、
前記文字データ切り替え検出部が検出するタイミングに同期して、番組に付与された文字データと前記文字データ保存部に格納されている文字データとを比較する比較部とを更に備え、
前記比較部によって、前記文字データ保存部に格納されている文字データと同一の文字データが付与された番組が検出された場合には、検出された番組を、再生すべき番組として選択する
ことを特徴とする映像記録再生装置。
【請求項１８】
請求項１７に記載の映像記録再生装置において、
前記番組に付与された文字データは、番組をグループ分けするための分野を表す文字データである
ことを特徴とする映像記録再生装置。
【請求項１９】
請求項１に記載の映像記録再生装置において、
前記記録媒体から再生されている番組の再生中の映像が受信された時間と実時間との間の時間差を検出する時間差検出部を更に備え、
前記時間差が所定の値よりも小さくなったことを前記時間差検出部が検出した場合には、前記記録媒体から再生された他の番組を、再生すべき番組として選択する
ことを特徴とする映像記録再生装置。
【請求項２０】
請求項１に記載の映像記録再生装置において、
前記記録媒体は光ディスクである
ことを特徴とする映像記録再生装置。
【請求項２１】
同時に受信された複数の番組を記録媒体に記録する番組記録ステップと、
前記記録媒体に記録された複数の番組のうちの少なくとも１つを再生する番組再生ステップと、
番組の選択が変更された場合に、選択されなくなった番組における、再生が中断された位置を格納する再生中断位置保存ステップと、
番組の選択が変更された場合に、選択が再開される番組についての前記再生が中断された位置を、その番組の再生開始位置として決定する再生開始位置決定ステップとを備え、
前記番組再生ステップは、
再生すべき番組の選択を行い、選択された番組を前記再生開始位置から再生するものである
映像記録再生方法。
【請求項２２】
請求項２１に記載の映像記録再生方法において、
番組が指定されると、その番組を、再生すべき番組として選択する
ことを特徴とする映像記録再生方法。
【請求項２３】
請求項２１に記載の映像記録再生方法において、
番組を再生する順番を格納する再生順保存ステップを更に備え、
前記再生順保存ステップで格納された順番に従って、再生すべき番組の選択を行う
ことを特徴とする映像記録再生方法。
【請求項２４】
請求項２１に記載の映像記録再生方法において、
前記番組再生ステップは、
選択された番組を、その番組に対して指定された再生速度で再生するものである
ことを特徴とする映像記録再生方法。
【請求項２５】
請求項２１に記載の映像記録再生方法において、
選択された複数の番組の映像が同時に表示されるようにする映像信号を生成する映像処理ステップを更に備える
ことを特徴とする映像記録再生方法。
【請求項２６】
請求項２５に記載の映像記録再生方法において、
前記同時に表示される複数の番組のうち、一部の番組については動画が表示され、他の番組については静止画が表示される
ことを特徴とする映像記録再生方法。
【請求項２７】
請求項２１に記載の映像記録再生方法において、
指定された切り替え時間毎に、再生すべき番組の選択を行う
ことを特徴とする映像記録再生方法。
【請求項２８】
請求項２１に記載の映像記録再生方法において、
番組が宣伝に切り替わるタイミングを検出するステップを更に備え、
前記タイミングに応じて、再生すべき番組の選択を変更する
ことを特徴とする映像記録再生方法。
【請求項２９】
請求項２１に記載の映像記録再生方法において、
再生された音声のモードがステレオからモノラルに、又はモノラルからステレオに切り替わるタイミングを検出するステップを更に備え、
前記タイミングに応じて、再生すべき番組の選択を変更する
ことを特徴とする映像記録再生方法。
【請求項３０】
請求項２１に記載の映像記録再生方法において、
前記複数の番組の映像のいずれかに含まれるテロップの内容が切り替わるタイミングを検出するテロップ切り替え検出ステップと、
前記テロップ切り替え検出ステップで検出されたタイミングに同期して、選択されている番組に前記複数の番組のテロップが重ね合わせて表示されるように、前記複数の番組のテロップをこの番組の映像信号に加えるテロップ表示ステップと、
前記複数の番組のテロップのうちのいずれが選択されたかを記憶するテロップ選択ステップとを備え、
選択されたテロップに対応する番組を、再生すべき番組として選択する
ことを特徴とする映像記録再生方法。
【請求項３１】
請求項２１に記載の映像記録再生方法において、
再生された番組の映像信号を生成する映像処理ステップと、
前記番組再生ステップにおいて複数の番組が再生される場合に、再生される複数の番組の中で、実時間との時間差が最も小さい番組の再生に、他の番組の再生が追い付いたことを検出する追い付き時刻検出ステップとを更に備え、
前記番組再生ステップは、
拡大表示するように選択された番組を再生し、その後、前記拡大表示するように選択された番組の再生に加えて、拡大表示するように選択されなかった番組を通常の速度よりも速い速度で再生することを開始し、かつ、前記追い付き時刻検出ステップにおいて追い付きが検出されると、追い付いた番組を通常の速度で再生するものであり、
前記映像処理ステップは、
前記拡大表示するように選択されなかった番組の再生が開始される前には、前記拡大表示するように選択された番組の映像を拡大して表示する映像信号を生成し、その後、前記拡大表示するように選択された番組の映像と、前記拡大表示するように選択されなかった番組の映像とが同時に表示されるようにする映像信号を生成するものである
ことを特徴とする映像記録再生方法。
【請求項３２】
請求項２１に記載の映像記録再生方法において、
再生された番組に付与された文字データが切り替わるタイミングを検出する文字データ切り替え検出ステップと、
選択された文字データを格納する文字データ保存ステップと、
前記文字データ切り替え検出ステップで検出するタイミングに同期して、番組に付与された文字データと前記文字データ保存部に格納されている文字データとを比較する比較ステップとを更に備え、
前記比較ステップにおいて、前記文字データ保存ステップで格納された文字データと同一の文字データが付与された番組が検出された場合には、検出された番組を、再生すべき番組として選択する
ことを特徴とする映像記録再生方法。
【請求項３３】
請求項３２に記載の映像記録再生方法において、
前記番組に付与された文字データは、番組をグループ分けするための分野を表す文字データである
ことを特徴とする映像記録再生方法。
【請求項３４】
請求項２１に記載の映像記録再生方法において、
前記記録媒体から再生されている番組の再生中の映像が受信された時間と実時間との間の時間差を検出する時間差検出ステップを更に備え、
前記時間差が所定の値よりも小さくなったことが前記時間差検出ステップで検出された場合には、前記記録媒体から再生された他の番組を、再生すべき番組として選択する
ことを特徴とする映像記録再生方法。
【発明の詳細な説明】
【技術分野】
【０００１】
本発明は、映像の記録再生技術に関し、特に、複数の番組が記録された記録媒体から番組の再生を行う技術に関する。
【背景技術】
【０００２】
放送中の番組をディスク装置等に記録しながら、その番組の記録済みの部分を再生することができる装置が知られている（例えば、特許文献１参照）。この装置によると、再生を記録とは独立に行うことができるので、番組の記録を続けながら、その番組の記録済みの部分において、再生を一時停止させたり、再生する位置を変更させることができる。また、特許文献１には、複数の番組を同時に記録することができる装置も開示されている。これによると、複数の番組を同時に記録しながら、そのうちの１つの番組の再生を行うことができる。
【特許文献１】特開平６−２４５１５７号公報
【発明の開示】
【発明が解決しようとする課題】
【０００３】
しかし、前記装置は、複数の番組について、それぞれのどの部分を再生したかを管理する機能がないので、複数の番組を同時に記録しながら再生する場合に、再生する番組を自由に切り替えることができなかった。また、複数の番組を同時に記録しながら、複数の番組を同時に再生することはできなかった。
【０００４】
本発明は、複数の番組を同時に記録しながら、これらの複数の番組から番組を自由に選択して再生することができる映像記録再生装置を提供することを目的とする。
【０００５】
また、本発明は、複数の番組を同時に記録しながら、複数の番組を同時に再生することができる映像記録再生装置を提供することを目的とする。
【課題を解決するための手段】
【０００６】
前記課題を解決するため、請求項１の発明が講じた手段は、映像記録再生装置として、同時に受信された複数の番組を記録媒体に記録する番組記録部と、前記記録媒体に記録された複数の番組のうちの少なくとも１つを再生して出力する番組再生部と、番組の選択が変更された場合に、選択されなくなった番組における、再生が中断された位置を格納する再生中断位置保存部と、番組の選択が変更された場合に、選択が再開される番組についての前記再生が中断された位置を再生中断位置保存部から読み出し、その番組の再生開始位置として決定する再生開始位置決定手段とを備え、再生すべき番組の選択を行い、選択された番組を前記再生開始位置から再生するように構成されたものである。
【０００７】
請求項１の発明によると、記録された複数の番組を再生をする場合に、再生すべき番組を自由に選択し、再生することができる。複数の番組のそれぞれについて、再生が中断された位置が格納されるので、その位置から再生を再開することができる。したがって、複数の番組を記録しながら、これらの番組の全ての部分を再生することができる。
【０００８】
請求項２の発明は、請求項１に記載の映像記録再生装置において、前記番組再生部が、再生すべき番組を選択するものである。
【０００９】
請求項３の発明は、請求項１に記載の映像記録再生装置において、複数の番組から少なくとも１つの番組を、再生すべき番組として選択して出力する選択部を更に備え、前記番組再生部は、複数の番組を再生して前記選択部に出力するものである。
【００１０】
請求項４の発明は、請求項１に記載の映像記録再生装置において、前記同時に受信された複数の番組を格納し、１つのビットストリームとして出力する受信番組記憶部と、前記番組再生部から出力された複数の番組のビットストリームを格納し、各番組のビットストリームに分離して出力する再生番組記憶部とを更に備え、前記番組記録部は、前記受信番組記憶部から出力されるビットストリームを記録媒体に記録するものである。
【００１１】
請求項５の発明は、請求項４に記載の映像記録再生装置において、前記同時に受信された複数の番組のそれぞれをエンコードして前記受信番組記憶部に出力する複数のエンコーダと、前記再生番組記憶部から出力されるビットストリームのそれぞれをデコードして出力する複数のデコーダとを更に備えるものである。
【００１２】
請求項６の発明は、請求項１に記載の映像記録再生装置において、番組が指定されると、その番組を、再生すべき番組として選択するものである。
【００１３】
請求項７の発明は、請求項１に記載の映像記録再生装置において、番組を再生する順番を格納する再生順保存部を更に備え、前記再生順保存部に格納された順番に従って、再生すべき番組の選択を行うものである。
【００１４】
請求項８の発明は、請求項１に記載の映像記録再生装置において、選択された番組を、その番組に対して指定された再生速度で再生するものである。
【００１５】
請求項９の発明は、請求項１に記載の映像記録再生装置において、選択された複数の番組の映像が同時に表示されるようにする映像信号を生成して出力する映像処理回路を更に備えるものである。
【００１６】
請求項１０の発明は、請求項９に記載の映像記録再生装置において、前記同時に表示される複数の番組のうち、一部の番組については動画が表示され、他の番組については静止画が表示されるものである。
【００１７】
請求項１１の発明は、請求項１に記載の映像記録再生装置において、指定された切り替え時間毎に、再生すべき番組の選択を行うものである。
【００１８】
請求項１２の発明は、請求項１に記載の映像記録再生装置において、再生された信号に基づいて、番組の切り替えをすべきタイミングを検出して出力するトリガー検出部を更に備え、前記トリガー検出部の出力に応じて、再生すべき番組の選択を変更するものである。
【００１９】
請求項１３の発明では、請求項１２に記載の映像記録再生装置において、前記トリガー検出部は、番組が宣伝に切り替わるときを、前記タイミングとして検出するものである。
【００２０】
請求項１４の発明では、請求項１２に記載の映像記録再生装置において、前記トリガー検出部は、再生された音声のモードがステレオからモノラルに、又はモノラルからステレオに切り替わるときを、前記タイミングとして検出するものである。
【００２１】
請求項１５の発明は、請求項１に記載の映像記録再生装置において、前記複数の番組の映像のいずれかに含まれるテロップの内容が切り替わるタイミングを検出するテロップ切り替え検出部と、前記テロップ切り替え検出部が検出するタイミングに同期して、選択されている番組に前記複数の番組のテロップが重ね合わせて表示されるように、前記複数の番組のテロップをこの番組の映像信号に加えて出力するテロップ表示部と、前記複数の番組のテロップのうちのいずれが選択されたかを記憶するテロップ選択部とを備え、選択されたテロップに対応する番組を、再生すべき番組として選択するものである。
【００２２】
請求項１６の発明は、請求項１に記載の映像記録再生装置において、再生された番組の映像信号を生成して出力する映像処理回路と、前記番組再生部によって複数の番組が再生される場合に、再生される複数の番組の中で、実時間との時間差が最も小さい番組の再生に、他の番組の再生が追い付いたことを検出する追い付き時刻検出部とを更に備え、前記番組再生部は、拡大表示するように選択された番組を再生し、その後、前記拡大表示するように選択された番組の再生に加えて、拡大表示するように選択されなかった番組を通常の速度よりも速い速度で再生することを開始し、かつ、前記追い付き時刻検出部が追い付きを検出すると、追い付いた番組を通常の速度で再生するものであり、前記映像処理回路は、前記拡大表示するように選択されなかった番組の再生が開始される前には、前記拡大表示するように選択された番組の映像を拡大して表示する映像信号を生成し、その後、前記拡大表示するように選択された番組の映像と、前記拡大表示するように選択されなかった番組の映像とが同時に表示されるようにする映像信号を生成するものである。
【００２３】
請求項１７の発明は、請求項１に記載の映像記録再生装置において、再生された番組に付与された文字データが切り替わるタイミングを検出して出力する文字データ切り替え検出部と、選択された文字データを格納する文字データ保存部と、前記文字データ切り替え検出部が検出するタイミングに同期して、番組に付与された文字データと前記文字データ保存部に格納されている文字データとを比較する比較部とを更に備え、前記比較部によって、前記文字データ保存部に格納されている文字データと同一の文字データが付与された番組が検出された場合には、検出された番組を、再生すべき番組として選択するものである。
【００２４】
請求項１８の発明では、請求項１７に記載の映像記録再生装置において、前記番組に付与された文字データは、番組をグループ分けするための分野を表す文字データである。
【００２５】
請求項１９の発明は、請求項１に記載の映像記録再生装置において、前記記録媒体から再生されている番組の再生中の映像が受信された時間と実時間との間の時間差を検出する時間差検出部を更に備え、前記時間差が所定の値よりも小さくなったことを前記時間差検出部が検出した場合には、前記記録媒体から再生された他の番組を、再生すべき番組として選択するものである。
【００２６】
請求項２０の発明では、請求項１に記載の映像記録再生装置において、前記記録媒体は光ディスクであることを特徴とする。
【００２７】
請求項２１の発明は、映像記録再生方法として、同時に受信された複数の番組を記録媒体に記録する番組記録ステップと、前記記録媒体に記録された複数の番組のうちの少なくとも１つを再生する番組再生ステップと、番組の選択が変更された場合に、選択されなくなった番組における、再生が中断された位置を格納する再生中断位置保存ステップと、番組の選択が変更された場合に、選択が再開される番組についての前記再生が中断された位置を、その番組の再生開始位置として決定する再生開始位置決定ステップとを備え、前記番組再生ステップは、再生すべき番組の選択を行い、選択された番組を前記再生開始位置から再生するものである。
【００２８】
請求項２２の発明は、請求項２１に記載の映像記録再生方法において、番組が指定されると、その番組を、再生すべき番組として選択するものである。
【００２９】
請求項２３の発明は、請求項２１に記載の映像記録再生方法において、番組を再生する順番を格納する再生順保存ステップを更に備え、前記再生順保存ステップで格納された順番に従って、再生すべき番組の選択を行うものである。
【００３０】
請求項２４の発明では、請求項２１に記載の映像記録再生方法において、前記番組再生ステップは、選択された番組を、その番組に対して指定された再生速度で再生するものである。
【００３１】
請求項２５の発明は、請求項２１に記載の映像記録再生方法において、選択された複数の番組の映像が同時に表示されるようにする映像信号を生成する映像処理ステップを更に備えるものである。
【００３２】
請求項２６の発明は、請求項２５に記載の映像記録再生方法において、前記同時に表示される複数の番組のうち、一部の番組については動画が表示され、他の番組については静止画が表示されるものである。
【００３３】
請求項２７の発明は、請求項２１に記載の映像記録再生方法において、指定された切り替え時間毎に、再生すべき番組の選択を行うものである。
【００３４】
請求項２８の発明は、請求項２１に記載の映像記録再生方法において、番組が宣伝に切り替わるタイミングを検出するステップを更に備え、前記タイミングに応じて、再生すべき番組の選択を変更するものである。
【００３５】
請求項２９の発明は、請求項２１に記載の映像記録再生方法において、再生された音声のモードがステレオからモノラルに、又はモノラルからステレオに切り替わるタイミングを検出するステップを更に備え、前記タイミングに応じて、再生すべき番組の選択を変更するものである。
【００３６】
請求項３０の発明は、請求項２１に記載の映像記録再生方法において、前記複数の番組の映像のいずれかに含まれるテロップの内容が切り替わるタイミングを検出するテロップ切り替え検出ステップと、前記テロップ切り替え検出ステップで検出されたタイミングに同期して、選択されている番組に前記複数の番組のテロップが重ね合わせて表示されるように、前記複数の番組のテロップをこの番組の映像信号に加えるテロップ表示ステップと、前記複数の番組のテロップのうちのいずれが選択されたかを記憶するテロップ選択ステップとを備え、選択されたテロップに対応する番組を、再生すべき番組として選択するものである。
【００３７】
請求項３１の発明は、請求項２１に記載の映像記録再生方法において、再生された番組の映像信号を生成する映像処理ステップと、前記番組再生ステップにおいて複数の番組が再生される場合に、再生される複数の番組の中で、実時間との時間差が最も小さい番組の再生に、他の番組の再生が追い付いたことを検出する追い付き時刻検出ステップとを更に備え、前記番組再生ステップは、拡大表示するように選択された番組を再生し、その後、前記拡大表示するように選択された番組の再生に加えて、拡大表示するように選択されなかった番組を通常の速度よりも速い速度で再生することを開始し、かつ、前記追い付き時刻検出ステップにおいて追い付きが検出されると、追い付いた番組を通常の速度で再生するものであり、前記映像処理ステップは、前記拡大表示するように選択されなかった番組の再生が開始される前には、前記拡大表示するように選択された番組の映像を拡大して表示する映像信号を生成し、その後、前記拡大表示するように選択された番組の映像と、前記拡大表示するように選択されなかった番組の映像とが同時に表示されるようにする映像信号を生成するものである。
【００３８】
請求項３２の発明は、請求項２１に記載の映像記録再生方法において、再生された番組に付与された文字データが切り替わるタイミングを検出する文字データ切り替え検出ステップと、選択された文字データを格納する文字データ保存ステップと、前記文字データ切り替え検出ステップで検出するタイミングに同期して、番組に付与された文字データと前記文字データ保存部に格納されている文字データとを比較する比較ステップとを更に備え、前記比較ステップにおいて、前記文字データ保存ステップで格納された文字データと同一の文字データが付与された番組が検出された場合には、検出された番組を、再生すべき番組として選択するものである。
【００３９】
請求項３３の発明では、請求項３２に記載の映像記録再生方法において、前記番組に付与された文字データは、番組をグループ分けするための分野を表す文字データである。
【００４０】
請求項３４の発明は、請求項２１に記載の映像記録再生方法において、前記記録媒体から再生されている番組の再生中の映像が受信された時間と実時間との間の時間差を検出する時間差検出ステップを更に備え、前記時間差が所定の値よりも小さくなったことが前記時間差検出ステップで検出された場合には、前記記録媒体から再生された他の番組を、再生すべき番組として選択するものである。
【発明の効果】
【００４１】
本発明によると、記録された複数の番組を再生をする場合に、複数の番組のそれぞれについて、再生が中断された位置が格納されるので、その位置から再生を再開することができる。したがって、再生すべき番組を自由に選択し、再生することができる。また、複数の番組を記録しながら再生する場合に、これらの番組の全ての部分を再生することができる。
【発明を実施するための最良の形態】
【００４２】
以下、本発明の実施の形態について、図面を参照しながら説明する。
【００４３】
（第１の実施形態）
図１は、本発明の第１の実施形態に係る映像記録再生装置のブロック図である。図１の映像記録再生装置１００は、セレクタ１２，５２と、マルチエンコーダ２０と、記録再生処理部３０と、マルチデコーダ４０と、システムコントローラ６０とを備えている。マルチエンコーダ２０は、エンコーダ２１，２２と、受信番組記憶部としての記録バッファ２４とを備え、記録再生処理部３０は、番組記録部３２と、番組再生部３６とを備えている。マルチデコーダ４０は、再生番組記憶部としての再生バッファ４２と、デコーダ４３，４４とを備え、システムコントローラ６０は、再生中断位置保存部としてのメモリ６２と、リモコン受信機６４とを備えている。また、セレクタ５２は選択部を構成している。
【００４４】
システムコントローラ６０には、コンピュータプログラムが格納されている。システムコントローラ６０は、このコンピュータプログラムを実行して、マルチエンコーダ２０、記録再生処理部３０、マルチデコーダ４０、セレクタ１２，５２等、映像記録再生装置１００の各部を制御する。システムコントローラ６０は、映像記録再生装置１００の動作モードや、入出力する番組の管理を行っている。これらの点は、以下の各実施形態において同様である。ユーザは、リモコン６８上に配置されたボタンを押すことによって、システムコントローラ６０のリモコン受信機６４へ電波又は赤外線の信号を送ることができる。システムコントローラ６０は、受信した信号に応じて動作を行う。
【００４５】
チューナ２Ａ，２Ｂ，…，２Ｃは、受信した信号に対して選局、復調を行い、チャンネル１，２，…，Ｎ（Ｎは２以上の整数）に対応した映像信号及び音声信号をそれぞれ出力する。すなわち、チューナ２Ａ，２Ｂ，…，２Ｃは、映像信号ＶＩＮ１，ＶＩＮ２，…，ＶＩＮＮをセレクタ１２，５２にそれぞれ出力し、音声信号ＡＩＮ１，ＡＩＮ２，…，ＡＩＮＮをセレクタ１２，５２にそれぞれ出力する。
【００４６】
ここで、映像信号ＶＩＮ１と音声信号ＡＩＮ１とがチャンネル１の番組を、映像信号ＶＩＮ２と音声信号ＡＩＮ２とがチャンネル２の番組を、映像信号ＶＩＮＮと音声信号ＡＩＮＮとがチャンネルＮの番組を伝送している。すなわち、チャンネル１，２，…，Ｎの番組が、チューナ２Ａ，２Ｂ，…，２Ｃによって同時に受信されている。
【００４７】
セレクタ１２は、指定された２つのチャンネル（チャンネルａ及びｂとする）の信号を入力された信号から選択して出力する。すなわち、セレクタ１２は、チャンネルａの映像信号及び音声信号を選択して、映像信号Ｖ１及び音声信号Ａ１としてエンコーダ２１に出力し、チャンネルｂの映像信号及び音声信号を選択して、映像信号Ｖ２及び音声信号Ａ２としてエンコーダ２２に出力する。
【００４８】
エンコーダ２１，２２は、いずれも映像エンコーダ及び音声エンコーダを有している。エンコーダ２１は、チャンネルａの映像信号Ｖ１及び音声信号Ａ１をエンコードして、得られたビットストリームＳ１（番組Ａのデータであるとする）を記録バッファ２４に出力する。エンコーダ２２は、チャンネルｂの映像信号Ｖ２及び音声信号Ａ２をエンコードして、得られたビットストリームＳ２（番組Ｂのデータであるとする）を記録バッファ２４に出力する。記録バッファ２４は、ビットストリームＳ１，Ｓ２を一時的に格納し、一定時間ごとにビットストリームＳ１とＳ２とが交互に配置されたビットストリームＲＤＴを番組記録部３２に出力する。
【００４９】
番組記録部３２は、ビットストリームＲＤＴに含まれるビットストリームＳ１とＳ２とを、記録媒体３４の異なる領域へ記録する。すなわち、番組記録部３２は、２つのチャンネルの同時に受信された番組Ａ，Ｂを記録媒体３４に記録する。記録媒体３４は、例えば、ＤＶＤ（digital versatile disc）−Ｒ，ＤＶＤ−ＲＷ，ＤＶＤ−ＲＡＭ等の光ディスク、ハードディスクドライブ、半導体メモリ等である。記録媒体３４上でビットストリームＳ１，Ｓ２（番組Ａ，Ｂ）が記録された位置は、システムコントローラ６０内のメモリ６２に格納される。
【００５０】
システムコントローラ６０は、メモリ６２に格納された、番組Ａ，Ｂ（ビットストリームＳ１，Ｓ２）のそれぞれの記録開始位置を読み出し、番組再生部３６に出力する。番組再生部３６は、番組Ａ，Ｂのデータをそれぞれの記録開始位置から一定時間ごとに交互に再生し、ビットストリームＳ１とＳ２とが一定時間ごとに交互に配置されたビットストリームＰＤＴを再生バッファ４２に出力する。記録媒体３４上における番組Ａ，Ｂの再生済みの部分の位置は、システムコントローラのメモリ６２に格納される。
【００５１】
番組Ａ又はＢ（ビットストリームＳ１又はＳ２）が選択されなくなり、その再生が中断された場合には、システムコントローラ６０は、再生が中断された番組における、再生が中断された位置（再生中断位置）をメモリ６２に格納する。その後、再生が中断された番組の再生が再開される場合には、システムコントローラ６０は、メモリ６２に格納されているその番組についての再生中断位置を読み出し、これをその番組の再生開始位置として決定する。システムコントローラ６０は、番組再生部３６に、この番組を再生することを再生開始位置から再開させる。
【００５２】
再生バッファ４２は、ビットストリームＰＤＴを一時的に格納し、これを２つのビットストリームＳＰ１，ＳＰ２に分離してデコーダ４３，４４にそれぞれ出力する。ビットストリームＳＰ１，ＳＰ２は、それぞれ、記録媒体３４に記録されたビットストリームＳ１，Ｓ２が再生されて得られたビットストリームである。
【００５３】
デコーダ４３，４４は、いずれも映像デコーダ及び音声デコーダを有している。デコーダ４３は、ビットストリームＳＰ１（番組Ａ）をデコードして、得られた映像信号ＶＰ１と音声信号ＡＰ１とを、チャンネルａの信号としてセレクタ５２に出力する。デコーダ４４は、ビットストリームＳＰ２（番組Ｂ）をデコードして、得られた映像信号ＶＰ２と音声信号ＡＰ２とを、チャンネルｂの信号としてセレクタ５２に出力する。
【００５４】
セレクタ５２は、システムコントローラ６０の指示に従って、マルチデコーダ４０から出力される映像信号ＶＰ１，ＶＰ２のうち、表示すべきチャンネルの信号を選択し、映像信号ＶＯＵＴとして映像表示装置４に出力する。また、セレクタ５２は、音声信号ＡＰ１，ＡＰ２から、選択された映像信号と同一のチャンネルの信号を選択し、音声信号ＡＯＵＴとして音声出力装置６に出力する。すなわち、セレクタ５２は、システムコントローラ６０の指示に従って、再生すべき番組の選択を行い、選択された番組をその再生開始位置から再生して出力する。セレクタ５２は、チューナ２Ａ〜２Ｃから直接入力される映像信号ＶＩＮ１〜ＶＩＮＮのうちの１つを選択して映像表示装置４に出力し、音声信号ＡＩＮ１〜ＡＩＮＮのうち、選択された映像信号と同一のチャンネルの音声信号を音声出力装置６に出力することもできるようになっている。
【００５５】
映像表示装置４は、選択された映像信号ＶＯＵＴに従って表示を行い、音声出力装置６は、選択された音声信号ＡＯＵＴを音として出力する。
【００５６】
図２は、図１の映像記録再生装置における処理の流れの例を示すフローチャートである。図２のフローチャートは、バーチャルチャンネル切り替えモードにおける処理を示している。システムコントローラ６０は、図２のフローチャートに従って、映像記録再生装置１００の各部の制御を行う。以下の説明において、番組が“再生中断中”とは、記録媒体３４に記録されているデータを再生して出力しているときに、出力されるチャンネルが切り替えられ（すなわち、番組の選択が変更され）、番組の再生が中断された状態のことである。
【００５７】
モード選択ステップＳ１１では、ユーザによってリモコン６８が操作され、バーチャルチャンネル切り替えモードが選択される。また、ユーザによってリモコン６８の複数番組同時記録ボタンが操作され、かつ、同時に記録すべき２つの番組を選択する操作がされる。これらの番組は、異なるチャンネルで伝送されている。セレクタ１２、マルチエンコーダ２０及び番組記録部３２が動作して、選択された番組の同時記録が開始される。
【００５８】
チャンネル選択ステップＳ１２では、再生して表示すべき番組の指定が、チャンネルが選択されることによって行われる。この操作は、ユーザによってリモコン６８を用いて行われる。すると、次のように、指定された番組を再生すべき番組として選択し、再生する処理が行われる。
【００５９】
切り替え前チャンネル判定ステップＳ１３では、システムコントローラ６０は、切り替え前のチャンネル（現在まで選択されていたチャンネル）が、記録媒体３４から番組を再生中のチャンネルであるか否かを判定する。
【００６０】
再生中断位置保存ステップＳ１４では、システムコントローラ６０は、切り替え前のチャンネルの番組における、チャンネルを切り替える時点の再生位置を、再生中断位置としてメモリ６２に格納させる。
【００６１】
切り替え後チャンネル判定ステップＳ１５では、システムコントローラ６０は、切り替え後のチャンネル（チャンネル選択ステップＳ１２で選択されたチャンネル）の番組が再生中断中であるか否かを判定する。
【００６２】
再生開始位置決定ステップＳ１６では、システムコントローラ６０は、切り替え後のチャンネルの番組の再生中断位置をメモリ６２から読み出し、再生開始位置として決定する。
【００６３】
再生ステップＳ１７では、システムコントローラ６０は、番組再生部３６及びマルチデコーダ４０を制御して、切り替え後のチャンネルの番組を、その再生開始位置から再生させることを開始する。
【００６４】
表示切り替えステップＳ１８では、セレクタ５２は、再生すべき番組の選択を行う。すなわち、セレクタ５２は、切り替え後のチャンネルの映像信号及び音声信号を選択して、映像表示装置４及び音声出力装置６のそれぞれに出力する。切り替え前のチャンネルの番組は、再生が中断される。その後、ステップＳ１２に戻る。
【００６５】
ここで、システムコントローラ６０は、再生開始位置決定ステップＳ１６の動作を行うことにより、再生開始位置決定手段１６２を構成している。なお、以下では、再生開始位置決定ステップは、再生が行われるステップに含まれているものとして説明する。また、再生中断位置保存ステップも、他のステップに含まれているものとして説明する場合がある。
【００６６】
このように、図１の映像記録再生装置において、図２のような処理が行われることによって、同時に記録された複数の番組を再生することができる。記録媒体３４には、２つのチャンネルの番組Ａ，Ｂが記録されているので、ユーザによるチャンネルの選択に従い、システムコントローラ６０が番組再生部３６、マルチデコーダ４０、及びセレクタ５２を制御して、チャンネルａの番組Ａ、又はチャンネルｂの番組Ｂを自由に選択して再生することができる。番組Ａ，Ｂをそれぞれどこまで再生したかが再生中断位置としてメモリ６２に格納されるので、その位置から再生を再開することができる。したがって、映像を再生させるチャンネルをチャンネルａ及びｂの間で切り替えても、選択されていない間に番組が進行してその表示がスキップされることがなく、複数の番組を記録しながら、番組Ａ及びＢの全ての部分を再生することができる。
【００６７】
（第１の実施形態の第１の変形例）
図３は、第１の実施形態の第１の変形例における処理の流れの例を示すフローチャートである。この変形例では、図１の映像記録再生装置において、システムコントローラ６０に代えて、これを変形したシステムコントローラを用いることとする。変形したシステムコントローラは、システムコントローラ６０と同様に、メモリ６２と、リモコン受信機６４とを備えている。メモリ６２は、再生順保存部を構成している。図３のフローチャートは、プログラム再生モードにおける処理を示している。
【００６８】
モード選択ステップＳ２１では、ユーザによってリモコン６８が操作され、プログラム再生モードが選択される。また、図２のステップＳ１１と同様に、２つの番組が選択され、選択された番組の同時記録が開始される。
【００６９】
再生リスト作成ステップＳ２２では、同時に記録されている番組のそれぞれを再生する順番と、各番組を再生する期間の長さ（再生時間）とが入力される。これらは、ユーザによるリモコン６８の操作によって入力される。システムコントローラは、入力された再生の順番と再生時間とを、再生リストとしてメモリ６２に格納させる。
【００７０】
チャンネル切り替え判定ステップＳ２３では、システムコントローラは、再生中の番組の再生時間が経過したか否か、すなわち、チャンネル切り替えが必要であるか否かを判定する。
【００７１】
再生中断位置保存ステップＳ２４では、システムコントローラは、切り替え前のチャンネルの番組における、チャンネルを切り替える時点の再生位置を、再生中断位置としてメモリ６２に格納させる。
【００７２】
再生ステップＳ２５では、システムコントローラは、メモリ６２に保存されている再生の順番に従って、次に再生すべきチャンネルを決定し、更にこのチャンネルの番組の再生中断位置をメモリ６２から読み出し、再生開始位置として決定する。システムコントローラは、番組再生部３６及びマルチデコーダ４０を制御して、この番組をその再生開始位置から再生させることを開始する。
【００７３】
表示切り替えステップＳ２６では、セレクタ５２は、再生すべき番組の選択を行う。すなわち、セレクタ５２は、次に再生すべきチャンネルの映像信号及び音声信号を選択して、映像表示装置４及び音声出力装置６のそれぞれに出力する。切り替え前のチャンネルの番組は、再生が中断される。その後、ステップＳ２３に戻る。
【００７４】
このように、映像記録再生装置において図３の処理を行うと、複数の番組を同時に記録しながら再生をする場合に、ユーザが指定した再生の順番と再生時間とに従って、番組を切り替えて視聴することができる。
【００７５】
（第１の実施形態の第２の変形例）
図４は、第１の実施形態の第２の変形例における処理の流れの例を示すフローチャートである。この変形例では、図１の映像記録再生装置において、システムコントローラ６０に代えて、これを変形したシステムコントローラを用いることとする。変形したシステムコントローラは、システムコントローラ６０と同様に、メモリ６２と、リモコン受信機６４とを備えている。図４のフローチャートは、１チャンネル表示を行う場合の倍速再生モードにおける処理を示している。
【００７６】
モード選択ステップＳ３１では、ユーザによってリモコン６８が操作され、倍速再生モードが選択される。また、図２のステップＳ１１と同様に、２つの番組が選択され、選択された番組の同時記録が開始される。
【００７７】
再生速度リスト作成ステップＳ３２では、ユーザによってリモコン６８が操作され、同時に記録されている番組について、番組毎に再生速度が入力される。システムコントローラは、番組毎の再生速度を、再生速度リストとしてメモリ６２に格納させる。
【００７８】
チャンネル選択ステップＳ３３、切り替え前チャンネル判定ステップＳ３４、再生中断位置保存ステップＳ３５、切り替え後チャンネル判定ステップＳ３６、及び表示切り替えステップＳ３８における処理は、図２のチャンネル選択ステップＳ１２、切り替え前チャンネル判定ステップＳ１３、再生中断位置保存ステップＳ１４、切り替え後チャンネル判定ステップＳ１５、及び表示切り替えステップＳ１８とそれぞれ同様である。
【００７９】
再生ステップＳ３７では、システムコントローラは、切り替え後のチャンネルの番組の再生中断位置及び再生速度をメモリ６２から読み出し、この再生中断位置を再生開始位置として決定する。システムコントローラは、番組再生部３６及びマルチデコーダ４０を制御して、切り替え後のチャンネルの番組を、その再生開始位置からその再生速度で再生することを開始する。
【００８０】
図５は、同時に放送される２つの３０分番組（番組Ａ及び番組Ｂ）を倍速再生モードで再生する場合のタイムチャートである。ユーザは、リモコン６８を操作して、番組Ａと番組Ｂとを同時に記録する番組として選択し、番組Ａを通常の速度で、番組Ｂを通常の２倍の速度（２倍速）で再生するように、再生速度を入力した場合を考える。
【００８１】
ユーザが視聴する番組は、例えば次のようになる。
１．ユーザが、番組Ａが放送されているチャンネルを選択し、１０分間視聴する（Ａ（１））。
２．ユーザが、番組Ｂが放送されているチャンネルを選択し、１０分間視聴する。番組Ｂは２倍速で再生されるので、番組Ｂの２０分間分の内容を１０分に短縮して視聴することになる（Ｂ（１），Ｂ（２））。
３．ユーザが、番組Ａが放送されているチャンネルを選択し、２０分間視聴する（Ａ（２），Ａ（３））。
４．ユーザが、番組Ｂが放送されているチャンネルを選択し、５分間視聴する。番組Ｂは２倍速で再生されるので、番組Ｂの１０分間分の内容を５分間に短縮して視聴することになる（Ｂ（３））。
【００８２】
このように、映像記録再生装置において図４の処理を行うと、複数の番組を同時に記録しながら再生する場合に、早送りしながら視聴することが可能になり、視聴時間を短縮することができる。
【００８３】
なお、番組を１．５倍速、３倍速等、２倍速以外の速度で再生するようにしてもよい。
【００８４】
（第２の実施形態）
図６は、本発明の第２の実施形態に係る映像記録再生装置のブロック図である。図６の映像記録再生装置２００は、図１の映像記録再生装置１００において、セレクタ５２及びシステムコントローラ６０をセレクタ２５２及びシステムコントローラ２６０で置き換え、更に、マルチチャンネル用映像処理回路２５３を備えたものである。その他の構成要素については、図１を参照して説明したものと同様であるので、説明を省略する。
【００８５】
図７は、図６の映像記録再生装置２００における処理の流れの例を示すフローチャートである。図７のフローチャートは、マルチチャンネルモードにおける処理を示している。システムコントローラ２６０は、図６のフローチャートに従って、映像記録再生装置２００の各部の制御を行う。
【００８６】
モード選択ステップＳ４１では、ユーザによってリモコン６８が操作され、マルチチャンネルモードが選択される。また、複数の番組が選択され、選択された番組の同時記録が開始される。
【００８７】
マルチチャンネル表示選択ステップＳ４２では、ユーザによるリモコン６８の操作に従って、マルチチャンネル表示をするか否かが判断される。
【００８８】
バーチャルチャンネル切り替えステップＳ４３では、図２のステップＳ１２〜Ｓ１８と同様の処理が行われる。この際、セレクタ２５２は、映像信号を少なくとも１つ選択してマルチチャンネル用映像処理回路２５３に出力し、マルチチャンネル用映像処理回路２５３は、映像信号を１つ選択して出力する。
【００８９】
表示チャンネル選択ステップＳ４４では、リモコン６８の操作によって、マルチチャンネル表示する２つのチャンネル（それぞれが異なる番組に対応する）が映像用に選択され、そのうちの１チャンネルが音声用にも選択される。
【００９０】
再生中断位置保存ステップＳ４５では、システムコントローラ２６０は、選択されなくなるチャンネルの番組における、チャンネルを切り替える時点の再生位置を、再生中断位置としてメモリ６２に格納させる。
【００９１】
表示チャンネル判定ステップＳ４６では、システムコントローラ２６０は、マルチチャンネル表示されるチャンネルの番組が再生中断中であるか否かを判定する。
【００９２】
再生ステップＳ４７では、システムコントローラ２６０は、表示される複数のチャンネルの番組の再生中断位置をメモリ６２から読み出し、各番組の再生開始位置として決定する。システムコントローラ２６０は、番組再生部３６及びマルチデコーダ４０を制御して、これらの番組を、その再生開始位置から再生させることを開始する。セレクタ２５２は、再生すべき番組の選択を行う。すなわち、セレクタ２５２は、映像用の２つチャンネルの映像信号を選択し、映像信号ＶＯＵＴ１，ＶＯＵＴ２としてマルチチャンネル用映像処理回路２５３に出力する。また、セレクタ２５２は、音声用の１つのチャンネルの音声信号を選択し、音声信号ＡＯＵＴとして音声出力装置６に出力する。
【００９３】
画像合成ステップＳ４８では、マルチチャンネル用映像処理回路２５３は、表示チャンネル選択ステップＳ４４で選択された２つのチャンネルの番組の映像が同時に表示されるようにする映像信号ＶＯＵＴを生成して出力する。すなわち、マルチチャンネル用映像処理回路２５３は、映像信号ＶＯＵＴ１，ＶＯＵＴ２を合成し、１つの映像信号ＶＯＵＴとして映像表示装置４に出力する。この際、マルチチャンネル用映像処理回路２５３は、例えば次のように合成を行う。すなわち、マルチチャンネル用映像処理回路２５３は、映像信号ＶＯＵＴ１，ＶＯＵＴ２の各画像のサイズをそれぞれ横方向に０．５倍し、映像信号ＶＯＵＴ１による映像が画面の左側に、映像信号ＶＯＵＴ２による映像が画面の右側に同時に表示されるようにする。
【００９４】
このように、図６の映像記録再生装置において、図７の処理を行うと、複数の番組を同時に記録しながら再生をする場合に、再生された複数の番組を同時にマルチチャンネル表示することができる。また、再生する番組をユーザのチャンネル選択により自由に切り替えることができる。
【００９５】
（第２の実施形態の第１の変形例）
図８は、第２の実施形態の第１の変形例における処理の流れの例を示すフローチャートである。この変形例では、図６の映像記録再生装置において、システムコントローラ２６０に代えて、これを変形したシステムコントローラを用いる。変形したシステムコントローラは、システムコントローラ２６０と同様に、メモリ６２と、リモコン受信機６４とを備えている。図８のフローチャートは、マルチチャンネル表示を行う場合における倍速再生モードの処理を示している。
【００９６】
モード選択ステップＳ３１、及び再生速度リスト作成ステップＳ３２は、図４を参照して説明したものとほぼ同様である。マルチチャンネル表示選択ステップＳ１４２、表示チャンネル選択ステップＳ１４４、再生中断位置保存ステップＳ１４５、表示チャンネル判定ステップＳ１４６、及び画像合成ステップＳ１４８における処理は、図７のマルチチャンネル表示選択ステップＳ４２、表示チャンネル選択ステップＳ４４、再生中断位置保存ステップＳ４５、表示チャンネル判定ステップＳ４６、及び画像合成ステップＳ４８とそれぞれほぼ同様である。
【００９７】
再生ステップＳ１４７では、システムコントローラは、表示される複数のチャンネルの番組の再生中断位置及び再生速度をメモリ６２から読み出し、各番組の再生中断位置を再生開始位置として決定する。システムコントローラは、番組再生部３６及びマルチデコーダ４０を制御して、これらの番組を、その再生開始位置からその再生速度で再生することを開始する。
【００９８】
図９は、図８に従って、同時に放送される２つの２０分番組（番組Ａ及び番組Ｂ）を倍速再生モードで再生する場合のタイムチャートである。ユーザは、リモコン６８を操作して、番組Ａと番組Ｂとを同時に記録する番組として選択し、番組Ａを通常の速度で、番組Ｂを２倍速で再生するように、再生速度を入力した場合を考える。
【００９９】
ユーザが視聴する番組は、例えば次のようになる。
１．ユーザが、番組Ａが放送されているチャンネルを選択し、１０分間視聴する（Ａ（１））。
２．ユーザが、マルチチャンネル表示する２つの番組として番組Ａと番組Ｂとを選択する。
３．番組Ａと番組Ｂとを１０分間視聴する。番組Ａは通常の速度、番組Ｂは２倍速で再生されるので、番組Ａについては１０分間分の内容を１０分間で視聴し、番組Ｂについては２０分間の内容を１０分間に短縮して視聴していることになる（Ａ（２），Ｂ（１），Ｂ（２））。
【０１００】
このように、映像記録再生装置において図８の処理を行うと、複数の番組を同時に記録しながら再生する場合に、早送りしながらマルチチャンネル表示を行って視聴することが可能になり、視聴時間を短縮することができる。
【０１０１】
（第２の実施形態の第２の変形例）
図１０は、第２の実施形態の第２の変形例における処理の流れの例を示すフローチャートである。この変形例では、図６の映像記録再生装置において、システムコントローラ２６０に代えて、これを変形したシステムコントローラを用いる。変形したシステムコントローラは、システムコントローラ２６０と同様に、メモリ６２と、リモコン受信機６４とを備えている。図１０のフローチャートは、マルチチャンネル停止モードにおける処理を示している。
【０１０２】
モード選択ステップＳ５１では、ユーザによってリモコン６８が操作され、マルチチャンネル停止モードが選択される。
【０１０３】
記録番組選択ステップＳ５２では、ユーザによってリモコン６８の複数番組同時記録ボタンが操作され、かつ、同時に記録すべき複数（ここでは２つとする）の番組を選択する操作が行われる。
【０１０４】
アクティブ番組選択ステップＳ５３では、ユーザによってリモコン６８が操作され、同時に記録される２つの番組の中から、再生すべき番組がアクティブ番組として選択される。
【０１０５】
映像選択ステップＳ５４では、セレクタ１２は、同時に記録する２つの番組を選択し、映像信号Ｖ１及び音声信号Ａ１をエンコーダ２１に出力し、映像信号Ｖ２及び音声信号Ａ２をエンコーダ２２に出力する。エンコーダ２１，２２がエンコードした結果は、記録バッファ２４及び番組記録部３２を経由して、記録媒体３４に書き込まれる。システムコントローラは、アクティブ番組以外の番組の記録開始位置をメモリ６２に格納させる。
【０１０６】
映像作成ステップＳ５５では、システムコントローラは、番組再生部３６及びマルチデコーダ４０を制御して、アクティブ番組を通常の方法で再生し、アクティブ番組以外の番組については、記録開始位置のデータ（すなわち、静止画）を再生し続ける。セレクタ２５２は、映像用の２つチャンネルの映像信号を選択し、映像信号ＶＯＵＴ１，ＶＯＵＴ２のそれぞれとしてマルチチャンネル用映像処理回路２５３に出力する。また、セレクタ２５２は、音声用の１つのチャンネルの音声信号を選択し、音声信号ＡＯＵＴとして音声出力装置６に出力する。マルチチャンネル用映像処理回路２５３は、映像信号ＶＯＵＴ１，ＶＯＵＴ２による映像が画面に同時に表示されるように、合成を行う。
【０１０７】
アクティブ番組変更ステップＳ５６では、ユーザのリモコン操作によってアクティブ番組が変更されたか否かを判断する。アクティブ番組が変更されると、再生中断位置保存ステップＳ５７では、アクティブ番組以外の番組の再生中断位置（現在、再生が一時停止している位置）をメモリ６２に格納させる。
【０１０８】
映像作成ステップＳ５８では、システムコントローラは、アクティブ番組の再生中断位置をメモリ６２から読み出し、再生開始位置として決定する。その後、映像作成ステップＳ５５と同様に、アクティブ番組は通常の方法で再生され、アクティブ番組以外の番組については、現在の再生位置のデータが再生され続ける。この際のセレクタ２５２及びマルチチャンネル用映像処理回路２５３の動作は、映像作成ステップＳ５５と同様である。
【０１０９】
このように、映像記録再生装置において図１０の処理を行うと、マルチチャンネル表示されるチャンネルのうちの１つの番組のみを動画として再生させ、その他のチャンネルの番組を停止させて表示することができる。また、動画として再生させる番組を自由に切り換えることができる。
【０１１０】
（第３の実施形態）
図１１は、本発明の第３の実施形態に係る映像記録再生装置のブロック図である。図１１の映像記録再生装置３００は、図１の映像記録再生装置１００において、システムコントローラ６０をシステムコントローラ３６０で置き換えたものである。その他の構成要素については、図１を参照して説明したものと同様であるので、説明を省略する。システムコントローラ３６０は、メモリ６２と、リモコン受信機６４と、タイマ３７２とを備えている。
【０１１１】
図１２は、図１１の映像記録再生装置３００における処理の流れの例を示すフローチャートである。図１２のフローチャートは、タイマ切り替えモードにおける処理を示している。システムコントローラ３６０は、図１２のフローチャートに従って、映像記録再生装置３００の各部の制御を行う。
【０１１２】
モード選択ステップＳ６１では、ユーザによってリモコン６８が操作され、タイマ切り替えモードが選択される。また、図２のステップＳ１１と同様に、２つの番組が選択され、選択された番組の同時記録が開始される。
【０１１３】
タイマ設定ステップＳ６２では、切り替え時間がユーザによるリモコン６８の操作によって指定される。システムコントローラ３６０は、入力された切り替え時間をメモリ６２に格納させる。同時に記録されている番組を再生する際には、以下のように、指定された切り替え時間毎に、再生すべき番組の選択が行われ、再生される番組が順次切り替えられる。
【０１１４】
チャンネル切り替え判定ステップＳ６３では、システムコントローラ３６０は、タイマ３７２が計測した時間とメモリ６２に保存された切り替え時間とを比較し、チャンネル切り替えを行うか否かを判定する。タイマ３７２が計測した時間が切り替え時間を経過した場合は、チャンネル切り替えを行うべきであると判定し、ステップＳ６４に進む。
【０１１５】
再生中断位置保存ステップＳ６４では、システムコントローラ３６０は、切り替え前のチャンネルの番組における、チャンネルを切り替える時点の再生位置を、再生中断位置としてメモリ６２に格納させる。
【０１１６】
再生ステップＳ６５では、システムコントローラ３６０は、同時に記録されている複数の番組の中から、次に再生すべきチャンネルを決定し、更にこのチャンネルの番組の再生中断位置をメモリ６２から読み出し、再生開始位置として決定する。システムコントローラは、番組再生部３６及びマルチデコーダ４０を制御して、この番組をその再生開始位置から再生させることを開始する。
【０１１７】
表示切り替えステップＳ６６では、セレクタ５２は、再生すべき番組の選択を行う。すなわち、セレクタ５２は、切り替え後のチャンネルの番組の映像信号及び音声信号を選択して、映像表示装置４及び音声出力装置６のそれぞれに出力する。切り替え前のチャンネルの番組は、再生が中断される。また、システムコントローラ３６０は、タイマ３７２に時間の計測を０から開始させる。その後、ステップＳ６３に戻る。
【０１１８】
このように、映像記録再生装置３００において図１２の処理を行うと、複数の番組を同時に記録しながら再生をする場合に、ユーザが指定した切り替え時間が経過する毎に番組を切り替え、視聴することができる。
【０１１９】
（第４の実施形態）
図１３は、本発明の第４の実施形態に係る映像記録再生装置のブロック図である。図１３の映像記録再生装置４００は、図１の映像記録再生装置１００において、セレクタ５２及びシステムコントローラ６０をセレクタ４５２及びシステムコントローラ４６０で置き換え、更に、トリガー検出部４５４を備えたものである。その他の構成要素については、図１を参照して説明したものと同様であるので、説明を省略する。システムコントローラ４６０は、メモリ６２と、リモコン受信機６４とを備えている。
【０１２０】
セレクタ４５２は、マルチデコーダ４０から出力される映像信号ＶＰ１，ＶＰ２の中から１つを選択して、映像信号ＶＯＵＴとして映像表示装置４に出力し、マルチデコーダ４０から出力される音声信号ＡＰ１，ＡＰ２をそれぞれ音声信号ＡＯＵＴ１，ＡＯＵＴ２としてトリガー検出部４５４に出力する。
【０１２１】
トリガー検出部４５４は、音声信号ＡＯＵＴ１，ＡＯＵＴ２がステレオ音声又はモノラル音声のいずれであるかを一定時間ごとに検出する。また、トリガー検出部４５４は、音声信号ＡＯＵＴ１，ＡＯＵＴ２のうちの１つを選択し、音声信号ＡＯＵＴとして音声出力装置６に出力する。放送される宣伝（ＣＭ）には、ステレオ音声を有しているものが多いので、音声のモードがモノラルからステレオに切り替わるときを、番組が宣伝に切り替わるときとみなし、音声のモードがステレオからモノラルに切り替わるときを、宣伝が番組に切り替わるときとみなすことができる。
【０１２２】
トリガー検出部４５４は、再生された音声のモードがステレオからモノラルに、又はモノラルからステレオに切り替わるときを、出力される番組の切り替えをすべきタイミングとして検出する。ここで、ステレオ音声からモノラル音声に切り替わる時点の記録媒体３４上の番組の再生位置を宣伝終了位置、モノラル音声からステレオ音声に切り替わる時点の記録媒体３４上の番組の再生位置を宣伝開始位置と定義する。
【０１２３】
図１４は、図１３の映像記録再生装置４００における処理の流れの例を示すフローチャートである。図１４のフローチャートは、宣伝スキップモードにおける処理を示している。システムコントローラ４６０は、図１４のフローチャートに従って、映像記録再生装置４００の各部の制御を行う。
【０１２４】
モード選択ステップＳ７１では、ユーザによってリモコン６８が操作され、宣伝スキップモードが選択される。また、図２のステップＳ１１と同様に、２つの番組が選択され、選択された番組の同時記録が開始される。
【０１２５】
宣伝検出ステップＳ７２では、トリガー検出部４５４は、音声信号ＡＯＵＴ１，ＡＯＵＴ２のうち、映像信号ＶＯＵＴに対応する音声信号がステレオ音声又はモノラル音声のいずれであるかを検出する。
【０１２６】
宣伝開始判定ステップＳ７３では、システムコントローラ４６０は、映像信号ＶＯＵＴに対応する音声信号がモノラル音声からステレオ音声に切り替わったか否かを判定する。切り替わった場合には、宣伝が開始されたとみなし、チャンネル切り替えステップＳ７５に進む。
【０１２７】
チャンネル切り替えステップＳ７５では、システムコントローラ４６０は、映像信号ＶＰ１，ＶＰ２のうち、映像信号ＶＯＵＴとして選択されていない映像信号のチャンネルの再生中断位置をメモリ６２から読み出し、そのチャンネルの番組の再生開始位置として決定する。システムコントローラ４６０は、番組再生部３６及びマルチデコーダ４０を制御して、この番組をその再生開始位置から再生させることを開始する。セレクタ４５２は、このチャンネルの番組を再生すべき番組として選択し、出力する。
【０１２８】
宣伝検出ステップＳ７６では、トリガー検出部４５４は、映像信号ＶＯＵＴとして現在選択されていない映像信号に対応する音声信号が、ステレオ音声又はモノラル音声のいずれであるかを検出する。
【０１２９】
宣伝終了判定ステップＳ７７では、システムコントローラ４６０は、音声信号ＡＯＵＴ１，ＡＯＵＴ２のうち、映像信号ＶＯＵＴとして現在選択されていない映像信号に対応する音声信号が、ステレオ音声からモノラル音声に切り替わったか否かを判定する。切り替わった場合には、宣伝が終了したとみなし、再生中断位置保存ステップＳ７８に進む。
【０１３０】
再生中断位置保存ステップＳ７８では、システムコントローラ４６０は、映像信号ＶＯＵＴとして現在選択されていない映像信号に対応する音声信号が、ステレオ音声からモノラル音声に切り替わった時点の再生位置（宣伝終了位置）を、この音声信号を有する番組の再生中断位置としてメモリ６２に格納させる。
【０１３１】
このように、映像記録再生装置４００において図１４の処理を行うと、複数の番組を同時に記録しながら再生をする場合に、宣伝のみを省いて番組を視聴することができる。また、番組を再生して視聴中に、宣伝開始直前で自動的に他の番組に切り替わり、かつ、その番組は宣伝終了時点から再生されるので、ユーザは宣伝を省くための操作を特にする必要がない。
【０１３２】
（第５の実施形態）
図１５は、本発明の第５の実施形態に係る映像記録再生装置のブロック図である。図１５の映像記録再生装置５００は、図１の映像記録再生装置１００において、システムコントローラ６０をシステムコントローラ５６０で置き換え、更に、テロップ切り替え検出部５５５とテロップ表示部５５６とを備えたものである。その他の構成要素については、図１を参照して説明したものと同様であるので、説明を省略する。システムコントローラ５６０は、メモリ６２と、リモコン受信機６４と、テロップ選択部５７４とを備えている。
【０１３３】
図１５の各チャンネルの映像信号ＶＩＮ１〜ＶＩＮＮに含まれる文字データを、テロップと称する。テロップは、例えば一定時間ごとに内容が更新される。テロップ切り替え検出部５５５は、映像信号ＶＩＮ１〜ＶＩＮＮのいずれかに含まれるテロップの内容が切り替わるタイミングを検出し、このタイミングに同期した信号ＳＴをテロップ表示部５５６等に出力する。
【０１３４】
図１６は、図１５の映像記録再生装置５００における処理の流れの例を示すフローチャートである。図１６のフローチャートは、テロップ表示モードにおける処理を示している。システムコントローラ５６０は、図１６のフローチャートに従って、映像記録再生装置５００の各部の制御を行う。
【０１３５】
モード選択ステップＳ８１では、ユーザによってリモコン６８が操作され、テロップ表示モードが選択される。また、図２のステップＳ１１と同様に、２つの番組が選択され、選択された番組の同時記録が開始される。
【０１３６】
映像作成ステップＳ８２では、テロップ表示部５５６は、テロップ切り替え検出部５５５から出力される信号ＳＴに同期して、各チャンネルの映像信号ＶＩＮ１〜ＶＩＮＮに含まれるテロップがセレクタ５２から出力されている番組に重ね合わせて表示されるように、各テロップをこの番組の映像信号ＶＯＵＴに加え、得られた映像信号ＶＴを映像表示装置４に出力する。
【０１３７】
テロップ選択ステップＳ８３では、ユーザは、リモコン６８を操作して、映像表示装置４に表示された映像信号ＶＴに含まれる各テロップの中から１つを選択する。テロップ選択部５７４は、いずれのテロップが選択されたかを記憶する。テロップが選択されると、ステップＳ８４に進む。
【０１３８】
映像選択ステップＳ８４では、セレクタ５２は、選択されたテロップに対応する番組を、再生すべき番組として選択する。すなわち、セレクタ５２は、テロップ選択部５７４が格納するデータが示すテロップに対応するチャンネルの映像信号及び音声信号を選択して、テロップ表示部５５６及び音声出力装置６にそれぞれ出力する。システムコントローラ５６０は、選択されなくなるチャンネルの番組における、チャンネルを切り替える時点の再生位置を、再生中断位置としてメモリ６２に格納させる。
【０１３９】
再生切り換えステップＳ８６では、システムコントローラ５６０は、選択されたチャンネルの番組の再生中断位置をメモリ６２から読み出し、再生開始位置として決定する。また、システムコントローラ５６０は、テロップ切り替え検出部５５５から出力される信号ＳＴのタイミングであるか否かを判断し、番組再生部３６及びマルチデコーダ４０を制御して、このタイミングに同期して、選択されたチャンネルの番組をその再生開始位置から再生させることを開始する。再生が開始されると、ステップＳ８３に戻る。
【０１４０】
このように、映像記録再生装置５００において図１６の処理を行うと、複数の番組を同時に記録しながら再生をする場合に、表示されていない番組の内容をテロップにより確認することができる。また、テロップを選択して、対応する番組を表示するように切り替えることができるので、表示されていなかった番組の興味のある部分だけを選択して視聴することができる。
【０１４１】
（第６の実施形態）
図１７は、本発明の第６の実施形態に係る映像記録再生装置のブロック図である。図１７の映像記録再生装置６００は、図６の映像記録再生装置２００において、システムコントローラ２６０をシステムコントローラ６６０で置き換えたものである。その他の構成要素については、図６を参照して説明したものと同様であるので、説明を省略する。システムコントローラ６６０は、メモリ６２と、リモコン受信機６４と、追い付き時刻検出部６７６とを備えている。
【０１４２】
図１８は、図１７の映像記録再生装置６００における処理の流れの例を示すフローチャートである。図１８のフローチャートは、マルチチャンネル拡大モードにおける処理を示している。システムコントローラ６６０は、図１８のフローチャートに従って、映像記録再生装置６００の各部の制御を行う。
【０１４３】
モード選択ステップＳ９１では、ユーザによってリモコン６８が操作され、マルチチャンネル拡大モードが選択される。
【０１４４】
記録番組選択ステップＳ９２では、図２のステップＳ１１と同様に、２つの番組が選択され、選択された番組の同時記録が開始される。
【０１４５】
映像作成ステップＳ９３では、図７のステップＳ４４〜Ｓ４８と同様に、２つのチャンネルの番組が同時に記録され、かつ、２つのチャンネルの番組が同時に表示される。
【０１４６】
拡大番組選択ステップＳ９４では、ユーザは、リモコン６８を操作して、マルチチャンネル表示されている番組の中から拡大表示すべき番組を選択する。すると、システムコントローラ６６０の指示に従って、番組再生部３６は、拡大表示するように選択された番組を通常の速度で再生する一方、拡大表示するように選択されなかった番組の再生を中断し、その再生中断位置をメモリ６２に格納させる。セレクタ２５２は、表示すべき番組の映像信号及び音声信号を選択し、マルチチャンネル用映像処理回路６５３は、拡大表示するように選択された番組を拡大して表示する映像信号を生成し、映像信号ＶＯＵＴとして映像表示装置４に出力する。このとき、拡大表示するように選択されなかった番組は表示されない。処理が終了すると、倍速再生ステップＳ９６に進む。
【０１４７】
倍速再生ステップＳ９６では、ユーザが拡大表示を解除（すなわち、マルチチャンネル表示を選択）すると、システムコントローラ６６０は、拡大表示するように選択されなかった番組の再生中断位置をメモリ６２から読み出し、再生開始位置として決定する。システムコントローラ６６０の指示に従って、番組再生部３６は、拡大表示するように選択された番組を通常の速度で再生し続け、拡大表示するように選択されなかったその他の番組を、再生中断位置から通常の速度よりも速い速度（例えば２倍速）で再生させることを開始する。
【０１４８】
このとき、マルチチャンネル用映像処理回路６５３は、拡大表示するように選択された番組を特に拡大して表示することはせず、この番組の映像と、拡大表示するように選択されなかったその他の番組の映像とが、同時に表示されるように（マルチチャンネル表示するように）する映像信号を生成し、映像信号ＶＯＵＴとして出力する。複数チャンネルの再生が開始されると、追い付き再生ステップＳ９８に進む。
【０１４９】
追い付き再生ステップＳ９８では、メモリ６２は、マルチチャンネル表示している各番組のリアルタイムとの時間差を更新しながら保存する。追い付き時刻検出部６７６は、マルチチャンネル表示している各番組の中でリアルタイムとの時間差が最も小さい番組（すなわち、拡大表示するように選択されていた番組）の再生に、他の番組の再生が追い付いた時刻を検出する。検出後、番組再生部３６は、追い付いた番組を通常の速度で再生する。
【０１５０】
このように、映像記録再生装置６００において図１８の処理を行うと、複数の番組を同時に記録しながら再生をする場合に、そのうちの１つの番組を拡大表示することができる。拡大表示をしている間は、他の番組の再生が中断され、拡大表示が終了すると、他の番組の再生が再開されるので、拡大表示をしている間に表示されなかった他の番組も、途中を省略することなく全て視聴することができる。また、再生が中断された番組を、通常よりも速い速度で再生し、拡大表示されていた番組に追い付くようにするので、マルチチャンネル表示される各映像をほぼ同じ時点の映像とすることができる。
【０１５１】
（第７の実施形態）
図１９は、本発明の第７の実施形態に係る映像記録再生装置のブロック図である。図１９の映像記録再生装置７００は、図１の映像記録再生装置１００において、システムコントローラ６０をシステムコントローラ７６０で置き換え、更に、文字データ切り替え検出部としてのジャンル切り替え検出部７５７と、比較部７５８とを備えたものである。その他の構成要素については、図１を参照して説明したものと同様であるので、説明を省略する。システムコントローラ７６０は、メモリ６２と、リモコン受信機６４と、文字データ保存部としてのジャンル保存部７７８とを備えている。
【０１５２】
図１９の各チャンネルの映像信号ＶＩＮ１〜ＶＩＮＮには、ジャンルを表す文字データが含まれている。ジャンルは、番組をグループ分けするための分野であって、各番組は必ず１つ以上のジャンルに属しており、各番組にはそのジャンルを表す文字データが付与されているものとする。ジャンル切り替え検出部７５７は、各チャンネルの映像信号ＶＩＮ１〜ＶＩＮＮに基づいて、ジャンルを表す文字データのいずれかが切り替わるタイミングを検出し、このタイミングに同期した信号ＳＧを比較部７５８に出力する。
【０１５３】
図２０は、図１９の映像記録再生装置７００における処理の流れの例を示すフローチャートである。図２０のフローチャートは、ジャンル切り替えモードにおける処理を示している。システムコントローラ７６０は、図２０のフローチャートに従って、映像記録再生装置７００の各部の制御を行う。
【０１５４】
モード選択ステップＳ２１１では、ユーザによってリモコン６８が操作され、ジャンル切り替えモードが選択される。
【０１５５】
記録番組選択ステップＳ２１２では、図２のステップＳ１１と同様に、２つの番組が選択され、選択された番組の同時記録が開始される。
【０１５６】
ジャンル選択ステップＳ２１３では、ユーザによってリモコン６８が操作され、ジャンルが選択される。選択されたジャンルを表す文字データは、ジャンル保存部７７８に格納される。
【０１５７】
ジャンル比較ステップＳ２１４では、比較部７５８は、信号ＳＧに同期して、ジャンル保存部７７８に格納されているジャンルと各チャンネルの番組のジャンルとを比較する。比較部７５８が、記録媒体３４に同時記録中の番組以外に、ジャンル保存部７７８に格納されているジャンルと同一のジャンルの番組を検出した場合には、番組切り替えステップＳ２１５へ進む。
【０１５８】
番組切り替えステップＳ２１５では、セレクタ５２は、検出された番組を再生すべき番組として選択する。すなわち、セレクタ５２は、検出された番組の映像信号及び音声信号を選択して、映像表示装置４及び音声出力装置６にそれぞれ出力する。システムコントローラ７６０は、選択されなくなるチャンネルの番組における、チャンネルを切り替える時点の再生位置を、再生中断位置としてメモリ６２に格納させる。
【０１５９】
再生切り換えステップＳ２１７では、記録媒体３４に同時記録中の番組以外の番組から、ジャンル保存部７７８に格納されているジャンルと同一のジャンルの番組が検出されたか否かを判定する。検出されなかった場合には、ステップＳ２１８に進む。その他の場合は、ステップＳ２１４に戻る。
【０１６０】
再生ステップＳ２１８では、システムコントローラ７６０は、選択されたチャンネルの番組の再生中断位置をメモリ６２から読み出し、再生開始位置として決定する。また、システムコントローラ７６０は、番組再生部３６及びマルチデコーダ４０を制御して、選択されたチャンネルの番組をその再生開始位置から再生させることを開始する。
【０１６１】
このように、映像記録再生装置７００において図２０の処理を行うと、複数の番組を同時に記録しながら再生をする場合に、ユーザが指定したジャンルの番組を、チャンネル選択を行うことなく、表示させることができる。
【０１６２】
（第８の実施形態）
図２１は、本発明の第８の実施形態に係る映像記録再生装置のブロック図である。図２１の映像記録再生装置８００は、図１の映像記録再生装置１００において、システムコントローラ６０をシステムコントローラ８６０で置き換え、更に、時間差検出部８５９を備えたものである。その他の構成要素については、図１を参照して説明したものと同様であるので、説明を省略する。システムコントローラ８６０は、メモリ６２と、リモコン受信機６４とを備えている。
【０１６３】
図２２は、図２１の映像記録再生装置８００における処理の流れの例を示すフローチャートである。図２２のフローチャートは、追い付き切り替えモードにおける処理を示している。システムコントローラ８６０は、図２２のフローチャートに従って、映像記録再生装置８００の各部の制御を行う。
【０１６４】
モード選択ステップＳ２２１では、ユーザによってリモコン６８が操作され、追い付き切り替えモードが選択される。
【０１６５】
記録番組選択ステップＳ２２２では、図２のステップＳ１１と同様に、２つの番組が選択され、選択された番組の同時記録が開始される。
【０１６６】
再生番組選択ステップＳ２２３では、ユーザによってリモコン６８が操作され、同時に記録される２つの番組のうちの１つが選択される。システムコントローラ８６０は、ここで選択されなかった番組の記録開始位置をメモリ６２に格納させる。
【０１６７】
再生番組切り替えステップＳ２２４では、時間差検出部８５９は、記録媒体３４から再生されている番組の再生中の映像と、リアルタイムの映像との間の時間差、すなわち、再生中の映像が受信された時間と実時間との間の時間差を検出して出力する。セレクタ５２から出力されていない番組をユーザが選択した場合、又はユーザによるリモコン６８の操作によって番組の早送りが行われ、時間差検出部８５９が検出する時間差がほぼなくなった場合（すなわち、時間差が所定の値よりも小さくなったことを時間差検出部８５９が検出した場合）には、番組の切り替えが必要であると判断し、ステップＳ２２６に進む。
【０１６８】
再生ステップＳ２２６では、システムコントローラ８６０は、セレクタ５２から出力されていた番組の再生中断位置をメモリ６２に格納させる。また、システムコントローラ８６０は、セレクタ５２から出力されていなかったもう一方の番組の再生中断位置をメモリ６２から読み出して、再生開始位置として決定する。セレクタ５２は、この番組を再生すべき番組として選択する。システムコントローラ８６０は、番組再生部３６及びマルチデコーダ４０を制御して、この番組をその再生開始位置から再生させることを開始する。
【０１６９】
このように、映像記録再生装置８００において図２２の処理を行うと、複数の番組を同時に記録しながら再生をする場合に、リアルタイムで視聴する必要はないが全体の流れを把握したい番組を視聴する場合に、早送り機能を有効活用して視聴時間を短縮することができる。
【０１７０】
なお、以上の実施形態においては、２つの番組を同時に記録し、記録された２つの番組を再生する場合について説明したが、同様に３以上の番組を同時に記録するようにしてもよいし、記録された３以上の番組を再生するようにしてもよい。
【０１７１】
また、セレクタが、再生すべき番組の選択を行うものとして説明したが、番組再生部が、システムコントローラの指示に従って、再生すべき番組の選択を行い、選択された番組をその再生開始位置から再生して、デコーダ等に出力するようにしてもよい。
【産業上の利用可能性】
【０１７２】
以上説明したように、本発明に係る映像記録再生装置及びその方法によると、記録された複数の番組を再生をする場合に、再生すべき番組を自由に選択し、再生することができるので、映像の記録再生装置等として有用である。
【図面の簡単な説明】
【０１７３】
【図１】本発明の第１の実施形態に係る映像記録再生装置のブロック図である。
【図２】図１の映像記録再生装置における処理の流れの例を示すフローチャートである。
【図３】第１の実施形態の第１の変形例における処理の流れの例を示すフローチャートである。
【図４】第１の実施形態の第２の変形例における処理の流れの例を示すフローチャートである。
【図５】同時に放送される２つの３０分番組を倍速再生モードで再生する場合のタイムチャートである。
【図６】本発明の第２の実施形態に係る映像記録再生装置のブロック図である。
【図７】図６の映像記録再生装置における処理の流れの例を示すフローチャートである。
【図８】第２の実施形態の第１の変形例における処理の流れの例を示すフローチャートである。
【図９】図８に従って、同時に放送される２つの２０分番組を倍速再生モードで再生する場合のタイムチャートである。
【図１０】第２の実施形態の第２の変形例における処理の流れの例を示すフローチャートである。
【図１１】本発明の第３の実施形態に係る映像記録再生装置のブロック図である。
【図１２】図１１の映像記録再生装置における処理の流れの例を示すフローチャートである。
【図１３】本発明の第４の実施形態に係る映像記録再生装置のブロック図である。
【図１４】図１３の映像記録再生装置における処理の流れの例を示すフローチャートである。
【図１５】本発明の第５の実施形態に係る映像記録再生装置のブロック図である。
【図１６】図１５の映像記録再生装置における処理の流れの例を示すフローチャートである。
【図１７】本発明の第６の実施形態に係る映像記録再生装置のブロック図である。
【図１８】図１７の映像記録再生装置における処理の流れの例を示すフローチャートである。
【図１９】本発明の第７の実施形態に係る映像記録再生装置のブロック図である。
【図２０】図１９の映像記録再生装置における処理の流れの例を示すフローチャートである。
【図２１】本発明の第８の実施形態に係る映像記録再生装置のブロック図である。
【図２２】図２１の映像記録再生装置における処理の流れの例を示すフローチャートである。
【符号の説明】
【０１７４】
１２  セレクタ
２０  マルチエンコーダ
２１，２２  エンコーダ
２４  記録バッファ（受信番組記憶部）
３０  記録再生処理部
３２  番組記録部
３４  記録媒体
３６  番組再生部
４０  マルチデコーダ
４２  再生バッファ（再生番組記憶部）
４３，４４  デコーダ
５２，２５２，４５２  セレクタ（選択部）
６０，２６０，３６０，４６０，５６０，６６０，７６０，８６０  システムコントローラ
６２  メモリ（再生中断位置保存部、再生順保存部）
１００，２００，３００，４００，５００，６００，７００，８００  映像記録再生装置
２５３，６５３  マルチチャンネル用映像処理回路（映像処理回路）
３７２  タイマ
４５４  トリガー検出部
５５５  テロップ切り替え検出部
５５６  テロップ表示部
５７４  テロップ選択部
６７６  追い付き時刻検出部
７５７  ジャンル切り替え検出部（文字データ切り替え検出部）
７５８  比較部
７７８  ジャンル保存部（文字データ保存部）
８５９  時間差検出部
【図１】
2005303920.tif 000003
【図２】
2005303920.tif 000004
【図３】
2005303920.tif 000005
【図４】
2005303920.tif 000006
【図５】
2005303920.tif 000007
【図６】
2005303920.tif 000008
【図７】
2005303920.tif 000009
【図８】
2005303920.tif 000010
【図９】
2005303920.tif 000011
【図１０】
2005303920.tif 000012
【図１１】
2005303920.tif 000013
【図１２】
2005303920.tif 000014
【図１３】
2005303920.tif 000015
【図１４】
2005303920.tif 000016
【図１５】
2005303920.tif 000017
【図１６】
2005303920.tif 000018
【図１７】
2005303920.tif 000019
【図１８】
2005303920.tif 000020
【図１９】
2005303920.tif 000021
【図２０】
2005303920.tif 000022
【図２１】
2005303920.tif 000023
【図２２】
2005303920.tif 000024